(57)【要約】【課題】携帯機器のストラップ取付部に取り付けられるストラップの取付紐に、装飾性、美的効果、高デザイン性を付与することができる携帯機器用ストラップの取付紐アクセサリーの提供。【解決手段】携帯機器Ｔに設けられたストラップ取付部Ｔａに取り付けられるストラップＳの取付紐に設けられる取付紐アクセサリーであって、取付紐９２のストラップ取付部Ｔａ側と、取付紐９２の反ストラップ取付部側に設けられ、取付紐９２の少なくとも一部を覆うとともに装飾性を有する一対の本体部と、一対の本体部に各々端部が連結可能に設けられ、中間部位が装飾性を有する装飾部材１６とを有している。装飾部材は、紐状体、ビーズ、チェーン、ファー、スプリング等から選択される１種以上で形成されていることが好ましい。【選択図】図１
2007252722.tif 000002
【特許請求の範囲】
【請求項１】
携帯機器に設けられたストラップ取付部に取り付けられるストラップの取付紐に設けられる取付紐アクセサリーであって、
前記取付紐のストラップ取付部側と、前記取付紐の反ストラップ取付部側に設けられ、前記取付紐の少なくとも一部を覆うとともに装飾性を有する一対の本体部と、
前記一対の本体部に各々端部が連結可能に設けられ、かつ、中間部位が装飾性を有する装飾部材とを有している
ことを特徴とする携帯機器用ストラップの取付紐アクセサリー。
【請求項２】
請求項１に記載の携帯機器用ストラップの取付紐アクセサリーにおいて、
前記本体部は、一方の側に前記取付紐が挿通される挿通孔を、他方の側に嵌合孔が形成されたアクセサリー本体と、
前記取付紐が挿入可能なＵ字状の孔が形成され、前記アクセサリー本体の前記嵌合孔に係脱可能に設けられ、前記アクセサリー本体と係合したとき、前記アクセサリー本体と協働して前記取付紐を固定可能な固定部材とからなっている
ことを特徴とする携帯機器用ストラップの取付紐アクセサリー。
【請求項３】
請求項１に記載の携帯機器用ストラップの取付紐アクセサリーにおいて、
前記本体部は、両端にフランジ部が形成された軸部と、前記取付紐が挿通されるＵ字状の挿通溝を有する第１本体と、
前記取付紐が挿通可能な挿通溝が形成され、前記第１本体の前記軸部に回転可能に設けられる第２本体とからなり、
前記第１本体の挿通溝と前記第２本体の挿通溝との位相を一致させることで前記取付紐を挿通可能とするとともに、前記第１本体の挿通溝と前記第２本体の挿通溝との位相をずらすことで前記取付紐を固定可能にした
ことを特徴とする携帯機器用ストラップの取付紐アクセサリー。
【請求項４】
請求項１に記載の携帯機器用ストラップの取付紐アクセサリーにおいて、
前記本体部は、前記取付紐が挿通される挿通部位を有し、弾性体である板バネで形成されたアクセサリー本体であり、
前記取付紐は、前記アクセサリー本体の弾性力に抗して外部側から前記挿通部位に挿入可能になっている
ことを特徴とする携帯機器用ストラップの取付紐アクセサリー。
【請求項５】
請求項１に記載の携帯機器用ストラップの取付紐アクセサリーにおいて、
前記本体部は、一方の端部を支軸にして開閉動作可能であるとともに、他方の端部に係脱可能な係止部が設けられ、前記取付紐が挿通される挿通部位を有しているアクセサリー本体である
ことを特徴とする携帯機器用ストラップの取付紐アクセサリー。
【請求項６】
請求項１に記載の携帯機器用ストラップの取付紐アクセサリーにおいて、
前記本体部の少なくとも一方が、キャラクターまたはマスコットの形状をした装飾本体になっている
ことを特徴とする携帯機器用ストラップの取付紐アクセサリー。
【請求項７】
請求項１から６のいずれか１に記載された携帯機器用ストラップの取付紐アクセサリーにおいて、
前記本体部は、合成樹脂、エラストマー、ゴムから選択される１種以上で形成されているものである
ことを特徴とする携帯機器用ストラップの取付紐アクセサリー。
【請求項８】
請求項１から７のいずれか１項に記載された携帯機器用ストラップの取付紐アクセサリーにおいて、
前記装飾部材は、紐状体、ビーズ、チェーン、ファー、スプリング、網状体、短冊状体、糸状体から選択される１種以上で形成され、装飾性を向上させているものである
ことを特徴とする携帯機器用ストラップの取付紐アクセサリー。
【請求項９】
請求項８に記載された携帯機器用ストラップの取付紐アクセサリーにおいて、
前記装飾部材に取り付けられ、前記装飾部材と協働して装飾性を向上させる副装飾体を有している
ことを特徴とする携帯機器用ストラップの取付紐アクセサリー。
【請求項１０】
請求項８に記載された携帯機器用ストラップの取付紐アクセサリーにおいて、
前記装飾部材は、合成樹脂、エラストマー、ゴム、布、糸、紙、木から選択される１種以上で形成されているものである
ことを特徴とする携帯機器用ストラップの取付紐アクセサリー。
【発明の詳細な説明】
【技術分野】
【０００１】
本発明は、携帯機器のストラップ取付部に取り付けられるストラップの取付紐に設けられ、ストラップの装飾性を向上させた携帯機器用ストラップの取付紐アクセサリーに関する。
【背景技術】
【０００２】
近年、携帯電話の普及に伴い、携帯電話にストラップを取り付けて使用することがよく行われている。ストラップの多くは、全体が紐状物等により形成されていて、携帯電話を携帯したり、使用する際に誤って落下させるのを防止するのが本来の目的である。しかしながらこの本来の目的の他に、装飾品、アクセサリーとしての機能、自分の好み、趣味などを強調して他人との差別化を図るための機能などが重要視されることも多い。
【０００３】
ストラップには、流行があって、他人が持っていないストラップを好んで使用する傾向にあったりすることもある。また、仲間同士でお揃いのストラップを取付けたりすることもよく行われる。一般に、装飾性、デザイン性が高いストラップは人気も高い。
ストラップＳは、図１、２に示すように、ストラップ本体９１と、一端部がストラップ本体に連結され他端部が携帯電話Ｔのストラップ取付部Ｔａに取り付けられる取付紐９２、ストラップ本体９１と取付紐９２とを結合している結合部９３とを備えたものが多い。そして、装飾性、デザイン性を有する装飾品、飾り、アクセサリー等が取り付けられるのは、ほとんど、ストラップ本体９１の部位である。一方、取付紐９２の部位には、携帯電話Ｔのストラップ取付部Ｔａに取り付けるという機能上の制約により、特別な装飾が施されることがなく長い紐状に形成されているものが大半であり、ストラップ全体からいうと、装飾性、デザイン性を低下させているおそれがあるという問題点があった。
【０００４】
ストラップの取付紐に取り付けるアクセサリーに関する先行技術をしては次のようなものがあった。ストラップの取付紐の一部を被覆して装飾性を向上させたストラップの取付紐用アクセサリーが知られている（例えば、特許文献１参照）。また、球、立方、円筒形状で中心に取付紐を貫通させるための貫通部分を設けた軟質素材の装飾品に芳香を持たせた接続部につける装飾品も知られている（例えば、特許文献２参照）。さらに、可撓性パイプ内に摺動可能なコイルバネを挿入し、このコイルバネに取付紐の一端を係止させたストラップも知られている。（例えば、特許文献３参照）。
【特許文献１】特許第３６７１２７６号公報
【特許文献２】実用新案登録第３０５８６５３号公報
【特許文献３】実用新案登録第３０８２６９９号公報
【発明の開示】
【発明が解決しようとする課題】
【０００５】
しかしながら、前記した特許文献１、２の技術は、取付紐の一部を覆っているすぎず取付紐全体を覆って装飾性を持たせるようにしたものでない。言い換えると、取付紐全体に装飾性を持たせるという課題にはまだまだ不十分なものであった。また、特許文献３の技術は、ストラップ本体と細紐（取付紐）が別体に構成されたものであり、構成が簡素でなく、ストラップ本体と細紐（取付紐）とが直接結合されていないためストラップ本来の目的を果たさないおそれがあるという問題点があった。
【０００６】
本発明は、このような従来の問題点を改善し開発されたものであり、次の目的を達成する。
本発明の目的は、携帯機器のストラップ取付部に取り付けられるストラップの取付紐に、装飾性、美的効果、高デザイン性を持たせることで、ストラップ全体の装飾性、美的効果、デザイン性を向上させた携帯機器用ストラップの取付紐アクセサリーを提供することにある。
【０００７】
本発明の他の目的は、携帯機器に既に取り付けられている市販のストラップに、取付紐全体に装飾性を持たせる取付紐アクセサリーを後付可能にした携帯機器用ストラップの取付紐アクセサリーを提供することにある。
【課題を解決するための手段】
【０００８】
本発明は前記目的を達成するために次の手段をとる。
本発明１の携帯機器用ストラップの取付紐アクセサリーは、
携帯機器に設けられたストラップ取付部に取り付けられるストラップの取付紐に設けられる取付紐アクセサリーであって、前記取付紐のストラップ取付部側と、前記取付紐の反ストラップ取付部側に設けられ、前記取付紐の少なくとも一部を覆うとともに装飾性を有する一対の本体部と、前記一対の本体部に各々端部が連結可能に設けられ、かつ、中間部位が装飾性を有する装飾部材とを有していることを特徴とする。
【０００９】
本発明２の携帯機器用ストラップの取付紐アクセサリーは、本発明１において、
前記本体部は、一方の側に前記取付紐が挿通される挿通孔を、他方の側に嵌合孔が形成されたアクセサリー本体と、前記取付紐が挿入可能なＵ字状の孔が形成され、前記アクセサリー本体の前記嵌合孔に係脱可能に設けられ、前記アクセサリー本体と係合したとき、前記アクセサリー本体と協働して前記取付紐を固定可能な固定部材とからなっていることを特徴とする。
【００１０】
本発明３の携帯機器用ストラップの取付紐アクセサリーは、本発明１において、
前記本体部は、両端にフランジ部が形成された軸部と、前記取付紐が挿通されるＵ字状の挿通溝を有する第１本体と、前記取付紐が挿通可能な挿通溝が形成され、前記第１本体の前記軸部に回転可能に設けられる第２本体とからなり、前記第１本体の挿通溝と前記第２本体の前記挿通溝との位相を一致させることで前記取付紐を挿通可能とするとともに、前記第１本体の挿通溝と前記第２本体の挿通溝との位相をずらすことで前記取付紐を固定可能にしたことを特徴とする。
【００１１】
本発明４の携帯機器用ストラップの取付紐アクセサリーは、本発明１において、
前記本体部は、前記取付紐が挿通される挿通部位を有し、弾性体である板バネで形成されたアクセサリー本体であり、前記取付紐は、前記アクセサリー本体の弾性力に抗して外部側から前記挿通部位に挿入可能になっていることを特徴とする。
【００１２】
本発明５の携帯機器用ストラップの取付紐アクセサリーは、本発明１において、
前記本体部は、一方の端部を支軸にして開閉動作可能であるとともに、他方の端部に形脱可能な係止部が設けられ、前記取付紐が挿通される挿通部位を有しているアクセサリー本体であることを特徴とする。
【００１３】
本発明６の携帯機器用ストラップの取付紐アクセサリーは、本発明１において、
前記本体部の少なくとも一方が、キャラクターまたはマスコットの形状をした装飾本体になっていることを特徴とする。
【００１４】
本発明７の携帯機器用ストラップの取付紐アクセサリーは、本発明１から６において、
前記本体部は、合成樹脂、エラストマー、ゴムから選択される１種以上で形成されているものであることを特徴とする。
【００１５】
本発明８の携帯機器用ストラップの取付紐アクセサリーは、本発明１から７において、
前記装飾部材は、紐状体、ビーズ、チェーン、ファー、スプリング、網状体、短冊状体、糸状体から選択される１種以上で形成され、装飾性を向上させているものであることを特徴とする。
【００１６】
本発明９の携帯機器用ストラップの取付紐アクセサリーは、本発明８において、
前記装飾部材に取り付けられ、前記装飾部材と協働して装飾性を向上させる副装飾体を有していることを特徴とする。
【００１７】
本発明１０の携帯機器用ストラップの取付紐アクセサリーは、本発明８において、
前記装飾部材は、合成樹脂、エラストマー、ゴム、布、糸、紙、木から選択される１種以上で形成されているものであることを特徴とする。
【発明の効果】
【００１８】
本発明は、以上のことから次のような効果を奏することとなった。
本発明の携帯機器用ストラップの取付紐アクセサリーは、取付紐全体に装飾性、美的効果、高デザイン性を持たせることが可能となり、ストラップ全体が装飾性、美的効果、高デザイン性を備えるようにすることが可能になった。また、本体部に挿通溝、挿通部位等を有するものは、取付紐に取付紐アクセサリーを後付することが可能であり、取付動作を容易にすることができた。言い換えると、日替わり、週替わりなどでいろいろな取付紐アクセサリーを取り付けて楽しむことができるようになった。さらに、ストラップ本体側のアクセサリーと組み合わせることにより、ストラップに取り付けるアクセサリーの楽しみ方のバリエーションを大幅に増大させることができる。
【発明を実施するための最良の形態】
【００１９】
以下、本発明の携帯機器用ストラップの取付紐アクセサリーの実施の形態を、図面に基づき詳細に説明する。
〔取付紐アクセサリーの実施の形態１〕
図１は、本発明の実施の形態１のストラップの取付紐アクセサリー（以下、アクセサリーと称す）を有するストラップを携帯機器としての携帯電話に取り付けた状態を示す斜視図である。図２は、実施の形態１のアクセサリーをストラップの取付紐に挿通した状態を示す正面図、図３は、実施の形態１のアクセサリーを分解した状態を示す説明図、図４は、図２をＡ−Ａ線で切断した断面図、図５は、実施の形態１のアクセサリーが挿通されたストラップを、携帯電話のストラップ取付部に取り付ける作業の説明図である。
【００２０】
ストラップＳは、前述したように、ストラップ本体９１と、一端部がストラップ本体に連結され他端部が携帯電話（携帯電話機）Ｔのストラップ取付部（以下、取付部と称す）Ｔａに取り付けられる取付紐９２、ストラップ本体９１と取付紐９２とを結合している結合部９３で構成されているものが多い。なお、携帯機器を携帯電話として説明を行っているが、携帯式音楽プレーヤ、携帯用メモリ内蔵プレーヤ、携帯式ゲーム機、携帯式カメラ、デジタルカメラ、ビデオカメラなど他の携帯機器であってもよい。言い換えると、携帯機器は、使用者が携帯して使用する機器であればよいことはいうまでもない。
【００２１】
実施の形態１のアクセサリー１は、ストラップＳの取付紐９２に予め挿通しておいた状態で携帯電話Ｔの取付部Ｔａに取り付けるタイプのものである。アクセサリー１は、略筒状の一方のアクセサリー本体１０、一方のアクセサリー本体と同一または略同一形状の他方のアクセサリー本体１３、一対のアクセサリー本体（以下、本体と称す）１０，１３間に設けられる装飾部材１６等から構成されている。本体１０は、半球状に形成された一方の側には挿通穴１０ａが形成され、他方の側の端部には内周部（嵌合孔）１０ｄが形成されたものである。挿通穴１０ａは、取付紐９２が挿通される穴である。なお、本体は、一方の側に挿通孔が、他方の側に内周部が形成されているものであれば、他の形状のものであってもよい。
【００２２】
また、本体１０の外周部には、係合穴１０ｃが形成された被係合部１０ｂが一体に設けられている。本体１０には、内周部１０ｄに嵌り込む固定部材１８が設けられる。固定部材１８には、内周部１０ｄに嵌合される外周部１８ｂ、取付紐９２が挿通可能なＵ字状の挿通溝１８ａが形成されている。挿通溝１８ａの幅寸法ｗ（図４参照）は、取付紐９２の直径と略同一、または、若干大きい寸法になっていることが好ましい。このようにすることで、取付紐９２に対して固定部材１８が回転するのが防止できる。
【００２３】
本体１０の内周部１０ｄに、固定部材１８の外周部１８ｂが嵌合されることによりアクセサリー１の一方の本体部が構成される。すなわち、取付紐９２は、本体１０の挿通穴１０ａ、固定部材１８の挿通溝１８ａに挿通後、内周部１０ｄに外周部１８ｂが嵌め合わされることにより、取付紐９２に対して、取付紐９２の長手方向に移動可能に、取付紐９２の回転方向に回転しないように組み付けが可能になっている。
【００２４】
本体１３は、挿通穴１３ａ、内周部１３ｄ、係合穴１３ｃが形成された被係合部１３ｂなどが形成されたものである。固定部材１９は、固定部材１８と同一またはほぼ同一なものであり、挿通溝１９ａ等が形成されている。すなわち、本体１３の内周部１３ｄに、固定部材１９の外周部１９ｂが嵌合されることによりアクセサリー１の他方の本体部が構成される。なお、この形態では、本体１０と本体１３を同じ形状のものとして説明を行っているが、異なる形状のものであってもよいことはいうまでもない。
【００２５】
本体１０、１３と固定部材１８、１９とからなる一対の本体部は、ナイロン、ポリアセタール、ポリカーボネート、ＡＢＳ樹脂、ポリウレタン、シリコーン樹脂等の合成樹脂、熱可塑性エラストマー、天然ゴム、シリコーンゴム等のゴムなどの材料のものを使用することができる。また、本体部は、視覚的に美的効果、高デザイン性、高装飾性を有する色に着色されていたり、視覚的に美的効果、高デザイン性、高装飾性を有するデザインが施されていたり、視覚的に美的効果、高デザイン性、高装飾性を有する形状に成形されていることが好ましい。
【００２６】
被係合部１０ｂと、被係合部１３ｂとの間には、装飾部材である紐状体１６が設けられる。すなわち、紐状体１６の両端には、係合穴１０ｃ、１３ｃと係合可能な係合部が設けられている。この係合部は、係合穴１０ｃ、１３ｃに対して形脱可能なことが好ましい。紐状体１６も、視覚的に美的効果、高デザイン性、高装飾性を有する色に着色されていたり、視覚的に美的効果、高デザイン性、高装飾性を有するデザインが施されていたり、視覚的に美的効果、高デザイン性、高装飾性を有する形状に成形されていることが好ましい。例えば、いろいろな形状の凹凸を設けたり、穴を形成したり、ロゴ、キャラクター等の図形を設けたものであってもよい。さらに、本体部との関係で美的効果、装飾性、デザイン性等が相乗的に増加するようにすることが好ましい。紐状体には、ナイロン、ポリアセタール、ポリカーボネート、ＡＢＳ樹脂、ポリウレタン、シリコーン樹脂等の合成樹脂、熱可塑性エラストマー、天然ゴム、シリコーンゴム等のゴムなどの材料を使用することができる。また、紐状体は、断面が平たい紐形状のもの、円形状、楕円状、多角形状、星状等のものであればよい。言い換えると、紐状体は、断面がいろいろな形状で長手方向に延びたのものであればよい。さらに、断面が円形状、楕円状、多角形状、星状等のものは、中実のものだけでなく中空状になっている紐状体であってもよい。
【００２７】
このアクセサリー１が挿通されたストラップＳは、図５のようにすることで容易に携帯電話Ｔの取付部Ｔａに取付けることができる。すなわち、アクセサリー１を取付紐９２の長手方向に撓ませておけば、一般のストラップと同じ方法で取付部Ｔａにとりつけることができる。
【００２８】
〔取付紐アクセサリーの実施の形態２〕
図６から８に従って、実施の形態２の取付紐アクセサリーの説明を行う。
このタイプは、既に、携帯電話に取り付けられている取付紐９２に、取付紐を外すことなく取り付けることができる。すなわち、ストラップＳに後付が可能である。
図６は、ストラップＳに実施の形態２のアクセサリー２を取り付けた状態を示す説明図、図７は、実施の形態２のアクセサリー２のみを表示した斜視図、図８（ａ）は、本体部の断面図、図８（ｂ）は、図８（ａ）をＢ−Ｂ線で切断した断面図である。
【００２９】
実施の形態２のアクセサリー２は、両端にフランジ部２１ｂ、中央に軸部２１ｃが形成された第１本体２１と、この第１本体２１の軸部２１ｃに内周部２０ｂが嵌り込んでいる第２本体２０からなっている一方の本体部、第１本体２４と、第１本体２４の軸部に嵌り込んでいる第２本体２３とからなっている他方の本体部、両方の本体部を繋ぐように設けられている装飾部材である紐状体１６等から構成されている。第１本体２１、２４、第２本体２０、２３には、各々、取付紐９２が挿通可能な挿通溝２１ａ、２０ａ、２４ａ、２３ａが形成されている。第１本体２１、２４に対して、第２本体２０、２３は、軸線Ｃの周り方向に、相対的に回転可能になっている。第２本体２０の外周部には、係合穴２０ｃが形成された被係合部２０ｄが一体に設けられている。第２本体２３の外周部には、係合穴２３ｃが形成された被係合部２３ｄが一体に設けられている。
【００３０】
図７に示したように、第２本体２０の挿通溝２０ａと第１本体２１の挿通溝２１ａ（または、第２本体２３の挿通溝２３ａと第１本体２４の挿通溝２４ａ）との位相を一致させた状態で、取付紐９２を挿通させる。その後、挿通溝２０ａを挿通溝２１ａに対して（または、挿通溝２３ａを挿通溝２４ａに対して）、位相を所定の角度（例えば、１８０度）回転させることにより、本体部から取付紐９２が抜け出ないようにしている（図８参照）。なお、この角度は、取付紐９２が抜け出ない角度であれば、１８０度以外であってもよいことはいうまでもない。また、第１本体２１、２４の挿通溝２１ａ、２４ａの幅寸法ｗなどは、取付紐９２の外径と略同一、または、若干大きい寸法になっていることが好ましい。このようにすることで、取付紐９２に対して本体部が回転するのが防止できる。一対の本体部の間には、紐状体１６が設けられている。紐状体１６は、実施の形態１の紐状体と同一のものであり、詳細な説明を省略する。
【００３１】
〔取付紐アクセサリーの実施の形態３〕
図９は、実施の形態３の取付紐アクセサリーを示す正面図である。
実施の形態３のアクセサリー３は、装飾部材が、球状、略球状、楕円状等の球体にあけた穴に紐を通し直列状に留めたいわゆるビーズ３１になっている形態のものである。なお、実施の形態３から後述する実施の形態７の説明では、実施の形態１と同一の部位には、同一の符号を付与し詳細な説明は省略する。
ビーズ３１は、一対の本体部の間に一列設けたものでも複数列設けたものであってもよい。ビーズ３１の球体は、ガラス製、合成樹脂製、真鍮、アルミニウム合金など金属製、セラミック製、木製などのものであればよい。また、この球体には、所定の色例えば金、銀の色などに、塗装、メッキ、漆塗り等で着色、つや出し、光沢付与等がされていてもよい。さらに、高額となってしまうが、真珠など宝石であってもよい。
【００３２】
〔取付紐アクセサリーの実施の形態４〕
図１０は、実施の形態４の取付紐アクセサリーを示す正面図、図１１は実施の形態４の取付紐アクセサリーの変形例の正面図である。
実施の形態４のアクセサリー４は、装飾部材が、チェーン４１になっている形態のものである。チェーン４１は、美的効果が生じるように、金、銀色等にメッキなどが施されている真鍮、アルミニウム合金、ステンレスなど金属製のもの、着色された合成樹脂製のものなどであればよい。また、高額となるが、金、銀等の材料で製造されたものであってもよい。なお、チェーンは、いわゆる喜平タイプ、小豆タイプなどの各種形状のチェーンを使用することができる。さらに、チェーンは、モチーフ形状、キャラクター形状に形成された輪体（例えば、ハート形状、ダイヤ形状、クローバー形状などの輪体）を連結して鎖状にしたもの、いわゆるデザインチェーンなどと呼ばれているものであってもよい。また、輪体は、同一形状のものでなくてもよく、例えば、ハート形状とダイヤ形状の組み合わせなどであってもよい。言い換えると、チェーンは、いろいろな形状に形成された輪体が鎖状に連結されているものであればよい。
【００３３】
図１１は、実施の形態４の変形例であり、アクセサリー４Ａは、チェーン４１に、副装飾体４２を取付け装飾性をさらに向上させたものである。この形態では、副装飾体４２として、ハート形状に成形されたものを図示しているが、副装飾体４２は、美的効果、高デザイン性などを有する形状、色等に形成されているものであればよいことはいうまでもない。副装飾体４２には、取付部４２ａが設けられており、装飾部材であるチェーン４１に着脱可能になっているものが好ましい。すなわち、副装飾体４２を交換することにより、日替わり、週替わりなど、使用者が気軽に、そのときの気分、ＴＰＯ（時、所、場合）に合わせた楽しみ方もできるようになっているとよい。副装飾体４２は、美的効果が生じるように、メッキなどが施されている真鍮、アルミニウム合金など金属製のもの、着色された合成樹脂製のものなどであればよい。また、副装飾体は、高額となるが、金、銀等の材料で製造されたものであってもよい。さらに、副装飾体は木材などを加工したものであってもよい。
【００３４】
〔取付紐アクセサリーの実施の形態５〕
図１２は、実施の形態５の取付紐アクセサリーを示す正面図、図１３は実施の形態５の変形例を示す正面図である。
実施の形態５のアクセサリー５は、装飾部材として、螺旋状体５１を設けた形態である。図１３は、実施の形態５の変形例であり、アクセサリー５Ａは、螺旋状体５１に副装飾体５２を設けた形態である。副装飾体５２は、螺旋状体５１に着脱可能に設けられていてもよい。
螺旋状体は、金属製、樹脂製などの弾性を有するものであればよく、あまり重くならないようにするのが好ましい。すなわち、美的効果、高デザイン性を有する色などになっているコイルバネ等であればよい。
【００３５】
この形態では、副装飾体５２として、花と葉に形成されたものを図示しているが、副装飾体４２は、美的効果、高デザイン性などを有する形状、色等で形成されているものであればよいことはいうまでもない。副装飾体５２は、美的効果が生じるように、メッキなどが施されている真鍮、アルミニウム合金など金属製のもの、着色された合成樹脂製のものなどであればよい。また、副装飾体は、高額となるが、金、銀等の材料で製造されたものであってもよい。さらに、副装飾体は木材などを加工したものであってもよい。
【００３６】
〔取付紐アクセサリーの実施の形態６〕
図１４は、実施の形態６の取付紐アクセサリーを示す図である。
実施の形態６のアクセサリー６は、装飾部材として、ファー６１を設けた形態のものである。ファー６１は、フェイクファー（偽毛皮）、リアルファー（本物毛皮）等であればよい。このようにすることで暖かみやゴージャス感のある装飾感を得ることができる。また、服飾と合わせたおしゃれをすることも可能となる。
【００３７】
〔取付紐アクセサリーの実施の形態７〕
図１５は、実施の形態７の取付紐アクセサリーを示す図である。
実施の形態７のアクセサリー７は、一対の本体部の一方（この形態では先端側である取付部Ｔａ側）に、マスコット、キャラクター（この形態では、動物キャラクター）などに形成された装飾本体７１が配置されている。このようにすることで、携帯電話の使用者の好みに合わせたデザインの、マスコット、キャラクターなどを、取付紐９２に取り付けることができる。なお、装飾本体７１は、一対の本体部の他方（反取付部側）に取り付けてもよく、一対の本体部の両方に取り付けてもよい。また、装飾部材は、前述した紐状体、ビーズ、チェーン、ファー、スプリングなどを使用することができる。
【００３８】
〔取付紐アクセサリーの本体部の他の実施の形態〕
図１６は、取付紐に取付紐アクセサリーを取り付ける本体部の他の実施の形態を示す斜視図、図１７は、この形態の取付紐アクセサリーをストラップに取り付けた状態を示す正面図である。
図１６に示すように、この形態のアクセサリー１０１の取付部は、本体１１０、１１３がクリップのような板バネで形成されている。すなわち、本体１１０の空間１１１が、取付紐９２が挿通する部位となる。同様に、本体１１３の空間１１４が、取付紐９２が挿通する部位となる。すなわち、本体１１０、１１３が本体部を構成している。また、本体１１０、１１３の間には、装飾部材１１６が設けられている。装飾部材１１６は、前述した実施の形態１から６で説明したものを使用することができる。
【００３９】
アクセサリー１０１を取付紐９２に取り付けると図１７に示すようになる。この形態のものは、取付紐の側方から取付紐アクセサリー１０１を差し込むだけで取り付けることが可能であり取付作業が容易である。また、ストラップＳに後付が可能である。
【００４０】
〔取付紐アクセサリーの本体部のさらに他の実施の形態〕
図１８（ａ）、（ｂ）は、取付紐に取付紐アクセサリーを取り付ける本体部のさらに他の実施の形態を示す図である。図１８（ａ）は取付部を開状態にした説明図、図１８（ｂ）は、取付部を閉状態にした説明図である。図１９は、この形態の取付紐アクセサリーを取付紐に取り付けた状態を示す正面図である。
この形態のアクセサリー１０２は、一側本体１２０ａ、他側本体１２０ｂ、蝶番部１２１、係止部１２２、被係止部１２３等からなる第１本体部を有している。同様に、アクセサリー１０２は、一側本体１２５ａ、他側本体１２５ｂ、蝶番部１２６、係止部１２７、被係止部１２８等からなる第２本体部を有している。
【００４１】
一側本体１２１ａ、他側本体１２１ｂが、蝶番部１２２を支点に開閉動作する。同様に、一側本体１２５ａ、他側本体１２５ｂが、蝶番部１２６を支点に開閉動作する。取付紐９２を挿通部位１２４内に挿入した後、一側本体１２１ａと他側本体１２１ｂを閉め係止部１２２と被係止部１２３とを係止することにより、第１本体部を取付紐９２に取付けることができる。同様に、取付紐９２を挿通部位１２９内に挿入した後、一側本体１２５ａと他側本体１２５ｂを閉め係止部１２７と被係止部１２８とを係止することにより、第２本体部を取付紐９２に取付けることができる。このような簡単な取付作業をするだけで、図１９に示すように、ストラップＳの取付紐９２にアクセサリー１０２を取付可能にしている。このアクセサリー１０２は、ストラップＳに後付が可能である。また、一側本体１２０ａ、他側本体１２０ｂ等で形成される第１本体部と、一側本体１２５ａ、他側本体１２５ｂで構成される第２本体部との間には、装飾部材１１６が設けられている。装飾部材１１６は、前述した実施の形態１から６で説明したものを使用することができることはいうまでもない。
【００４２】
以上、本発明を実施の形態に基づいて説明を行ったが、本発明はこの実施の形態に限定されることはない。本発明の目的、趣旨を逸脱しない範囲内での変更が可能なことはいうまでもない。例えば、装飾部材は、紐状体、ビーズ、チェーン、ファー、スプリングなどを組み合わせたものであってもよい。また、本体部、装飾部材に蓄光性を有するようにしてもい。さらに、装飾部材は、短冊状に形成されているもの、糸状のもの、網状に形成されているものなどに他の形状のものなどであってもよい。また、装飾部材は、布、生地、紙、薄く削いだ木材などで形成されたものであってもよい。そして、布、生地、紙、木材などは、所定の色に着色されていたり、模様が施されていたりすることが好ましい。さらに、副装飾体が、布、生地、紙、木材などで形成されたものであってもよい。
【図面の簡単な説明】
【００４３】
【図１】図１は、本発明の実施の形態１のストラップの取付紐アクセサリーを携帯電話（携帯機器）に取り付けた状態を示す斜視図である。
【図２】図２は、本発明の実施の形態１の取付紐アクセサリーをストラップに挿通した状態を示す正面図である。
【図３】図３は、実施の形態１の取付紐アクセサリーを分解した状態で示す説明図である。
【図４】図４は、図２をＡ−Ａ線で切断した断面図である。
【図５】図５は、実施の形態１の取付紐アクセサリーが挿通されたストラップを、携帯電話のストラップ取付部に取り付ける作業の説明図である。
【図６】図６は、実施の形態２の取付紐アクセサリーをストラップに挿通した状態を示す説明図である。
【図７】図７は、実施の形態２の取付紐アクセサリーを示す斜視図である。
【図８】図８（ａ）は、実施の形態２の取付紐アクセサリーの本体部の断面図、図８（ｂ）は、図８（ａ）をＢ−Ｂ線で切断した断面図である。
【図９】図９は、実施の形態３の取付紐アクセサリーを示す図であり、装飾部材をビーズにした形態の正面図である。
【図１０】図１０は、実施の形態４の取付紐アクセサリーを示す図であり、装飾部材をチェーンにした形態の正面図である。
【図１１】図１１は、実施の形態４の変形例であり、装飾部材に副装飾体を取付けの形態５の正面図である。
【図１２】図１２は、実施の形態５の取付紐アクセサリーを示す図であり、装飾部材を螺旋状体にした形態の正面図である。
【図１３】図１３は、実施の形態５の変形例であり、装飾部材である螺旋状体に副装飾体を設けた形態の正面図である。
【図１４】図１４は、実施の形態６の取付紐アクセサリーを示す図であり、装飾部材をファーにした形態の正面図である。
【図１５】図１５は、実施の形態７の取付紐アクセサリーを示す図であり、装飾本体をキャラクターにした形態の正面図である。
【図１６】図１６は、取付紐に取付紐アクセサリーを取り付ける本体部の他の実施の形態を示す斜視図である。
【図１７】図１７は、この形態の取付紐アクセサリーをストラップに取り付けた状態を示す図である。
【図１８】図１８（ａ）、（ｂ）は、取付紐に取付紐アクセサリーを取り付ける本体部のさらに他の実施の形態を示す図であり、図１８（ａ）は本体部を開状態にした図、図１８（ｂ）は、本体部を閉状態にした図である。
【図１９】図１７は、この形態の取付紐アクセサリーを取付紐に取り付けた状態を示す図である。
【符号の説明】
【００４４】
１、２、３、４、５、６、７、１０１、１０２  …  取付紐アクセサリー
１０、１３  …  アクセサリー本体
１８、１９  …  固定部材
２１、２４  …  第１本体
２０、２３  …  第２本体
１６、３１、４１、５１、６１、１１６  …  装飾部材
４２、５２  …  副装飾体
７１  …  装飾本体
Ｔ  …  携帯機器（携帯電話）
Ｔａ…  ストラップ取付部
Ｓ  …  ストラップ
９２…  取付紐
【図１】
2007252722.tif 000003
【図２】
2007252722.tif 000004
【図３】
2007252722.tif 000005
【図４】
2007252722.tif 000006
【図５】
2007252722.tif 000007
【図６】
2007252722.tif 000008
【図７】
2007252722.tif 000009
【図８】
2007252722.tif 000010
【図９】
2007252722.tif 000011
【図１０】
2007252722.tif 000012
【図１１】
2007252722.tif 000013
【図１２】
2007252722.tif 000014
【図１３】
2007252722.tif 000015
【図１４】
2007252722.tif 000016
【図１５】
2007252722.tif 000017
【図１６】
2007252722.tif 000018
【図１７】
2007252722.tif 000019
【図１８】
2007252722.tif 000020
【図１９】
2007252722.tif 000021